(57)【特許請求の範囲】
【請求項１】
基準時を計時する時間計時部と電源が投入されたことを検知する電源検知部を有する電子機器であって、
前記電源検知部が検知したことに基づいて、前記時間計時部の時間を取得する時間取得部と、
各国の時差情報と所定時間を記憶した記憶部と、
前記時間取得部の取得した時間と前記記憶部に記憶された各国の時差情報とに基づいて算出された時間が前記所定時間内である国を候補国として抽出する抽出部と、
前記抽出部により抽出された前記候補国を表示する表示部と
を備えることを特徴とする電子機器。
【請求項２】
さらに、前記抽出部により抽出された前記候補国が単数の場合、前記候補国を使用国として設定する国設定部を備える
ことを特徴とする請求項１に記載の電子機器。
【請求項３】
さらに、前記記憶部は各国の言語を記憶しており、
前記抽出部により抽出された前記候補国のうちから１つを使用国として設定する国設定部を備え、
前記国設定部により設定された使用国に対応した言語が単数の場合、前記使用国に対応した言語を使用言語として設定する言語設定部を備える
ことを特徴とする請求項１乃至２に記載の電子機器。
【請求項４】
さらに、前記記憶部は各国の言語を記憶しており、
前記抽出部は、抽出した前記候補国が複数の場合、前記記憶部に記憶された前記候補国の言語に対応した言語を抽出し、
前記表示部は、抽出された各々の言語で前記候補国を表示する
ことを特徴とする請求項１記載の電子機器。
【発明の詳細な説明】
【技術分野】
【０００１】
本発明は、電子機器の初期設定操作に関する。
【背景技術】
【０００２】
印刷機などの電子機器は、各国特有の規格に適合した設定で使用される。たとえば、アメリカ合衆国では、長さの単位をmmではなくinchで尺度を示すように設定しなければならない。そのような規格に対応するため、初めて電子機器を起動させる際、初期設定が必要となる。
【０００３】
特許文献１記載の発明は、パネルを介して、現在時刻を入力すると、入力時刻と基準時間との時差などから使用する候補国を抽出して、抽出された国の規格を装置に設定するものである。
【先行技術文献】
【特許文献】
【０００４】
【特許文献１】特開２０１１−６５３６６号公報
【発明の概要】
【発明が解決しようとする課題】
【０００５】
しかしながら、特許文献１記載の発明は、設定者が電子機器のパネルに表示される入力指示に従って時刻を入力しなければならない。
【０００６】
本発明は、電子機器の電源を投入するだけで、電子機器を使用する候補となる国を抽出し、初期設定を容易にする電子機器を提供することを目的とする。
【課題を解決するための手段】
【０００７】
上記目的を達成するために、本発明に係る電子機器の第１の特徴は、基準時を計時する時間計時部と電源が投入されたことを検知する電源検知部を有する電子機器であって、前記電源検知部が検知したことに基づいて、前記時間計時部の時間を取得する時間取得部と、各国の時差情報と所定時間を記憶した記憶部と、前記時間取得部の取得した時間と前記記憶部に記憶された各国の時差情報とに基づいて算出された時間が前記所定時間内である国を候補国として抽出する抽出部と、前記抽出部により抽出された前記候補国を表示する表示部とを備える。
【０００８】
また、本発明に係る電子機器の第２の特徴は、前記抽出部により抽出された前記候補国が単数の場合、前記候補国を使用国として設定する国設定部を備える。
【０００９】
さらに、本発明に係る電子機器の第３の特徴は、さらに、前記記憶部は各国の言語を記憶しており、前記抽出部により抽出された前記候補国のうちから１つを使用国として設定する国設定部を備え、前記国設定部により設定された使用国に対応した言語が単数の場合、前記使用国に対応した言語を使用言語として設定する言語設定部を備える。
【００１０】
さらに、本発明に係る電子機器の第４の特徴は、前記記憶部は各国の言語を記憶しており、前記抽出部は、抽出した前記候補国が複数の場合、前記記憶部に記憶された前記候補国の言語に対応した言語を抽出し、前記表示部は、抽出された各々の言語で前記候補国を表示する。
【発明の効果】
【００１１】
本発明の請求項１は、電子機器の初期設定をする際、電子機器が起動した基準時間に基づいて電子機器の存在する可能性のある国を候補国として抽出して、候補国を表示機器等に表示させている。よって、電子機器を起動しただけで、電子機器の存在する候補となる国を抽出するので、設定者にとって初期設定が容易になる。
【００１２】
本発明の請求項２は、国設定部は、抽出部が抽出した候補国が単数である場合、候補国を使用国として設定する。よって、抽出された国が電子機器を使用する国として設定されるので、初期設定時に設定者が操作することなく使用国を設定ができる。
【００１３】
本発明の請求項３は、言語設定部は、使用国に対応する言語が単数の場合、使用国の言語を使用言語として設定する。よって、使用国に対応する言語を使用言語として設定するので、初期設定時に設定者が操作することなく使用言語を設定できる。
【００１４】
本発明の請求項４は、抽出された国が複数ある場合、抽出した国に対応した言語で国名等を表示機器等に表示させるので、初期設定時に設定者にとって国の選択が容易になる。
【図面の簡単な説明】
【００１５】
【図１】電子機器の構成ブロック図
【図２】使用国や使用する言語の設定フロー図
【図３】候補国から使用国や使用する言語を選択する設定画面図
【図４】記憶部に記憶されている国と時差情報との関係図
【発明を実施するための形態】
【００１６】
以下、図面を参照して、本発明について説明する。図１は、電子機器の構成ブロック図である。図２は、使用国や使用する言語の設定フロー図である。図３は、候補国から使用国や使用する言語を選択する設定画面図である。図４は、記憶部に記憶されている国と時差情報との関係図である。
【００１７】
図１に示すように、電子機器１０１は、電源部１０２と電源検知部１０３と時間計時部１０４と制御部１０５と記憶部１０６と表示部１０７とから構成されている。また、制御部１０５は、電源部１０２と電源検知部１０３と時間計時部１０４と記憶部１０６と表示部１０７と接続されている。
【００１８】
電源部１０２は、電子機器１０１に備え付けられており、ON/OFFの切り替えを制御部１０５によって制御されている。
【００１９】
電源検知部１０３は、電源部１０２がＯＮ状態のとき、すなわち電源部１０２が投入されたときに生じる電流を検知し、制御部１０５に検知情報を出力する。
【００２０】
時間計時部１０４は、世界標準時間を計時している。世界標準時間はＧＭＴ（Greenwich Mean Time）やＵＴＣ（Universal Time Coordinated）などを利用する。時間計時部１０４は、電子機器１０１の電源部１０２とは別電源を有しており、電子機器１０１に電源を投入する前から世界標準時間を計時し続けている。
【００２１】
図１に示すように、制御部１０５は、時間取得部１０８と抽出部１０９と設定部１１０とから構成されている。
【００２２】
記憶部１０６は、ＲＯＭ（Read Only Memory）とＨＤＤ（Hard disk drive）とＲＡＭ（Random Access Memory）とで構成されている。ＲＯＭは、各国の国名や各国の規格や言語などを記憶する。ＨＤＤは、電子機器１０１の設定条件や各国の時差情報、営業時間などを記憶する。ＲＡＭは表示部１０７などに表示させる画像データ、時間取得部１０８が取得した世界標準時間を記憶する。たとえば、制御部１０５は、各国の言語などをＲＯＭデータから読み出し、表示部１０７に展開する。また、営業時間を変更したい場合、表示部１０７に展開された時間を変更して、ＨＤＤに記憶できる構成である。
【００２３】
表示部１０７は、制御部１０５と入出力する構成である。電子機器１０１の設定をする際、ユーザは、表示部１０７から各種設定情報を入力する。すると、表示部１０７は、制御部１０５の制御により各種設定情報やリスト画像などを表示する。
【００２４】
時間取得部１０８は、制御部１０５が電源検知部１０３の検知情報をうけた場合、時間計時部１０４の世界標準時間を取得し、取得した時間をＲＡＭに記憶させる。
【００２５】
抽出部１０９は、時間取得部１０８に取得された時間と記憶部１０６に記憶された各国の時差情報とに基づいて算出された時間が記憶部１０６に記憶された所定時間内である国を抽出する。ここで、所定時間は営業時間としてＨＤＤに記憶されている。また、抽出部１０９は、抽出した国を電子機器１０１や電子機器１０１に接続された表示機器に表示させてもよい。なお、言語は公用語に限定されず、電子機器１０１の出荷段階に所望の言語を設定できる構成である。また、営業時間は、電子機器１０１の電源部１０２を投入する段階でＨＤＤに記憶されており、電子機器１０１の出荷段階で任意の時間に設定できる構成である。
【００２６】
図１に示すように、設定部１１０は、国設定部１１１と言語設定部１１２と国規格設定部１１３とから構成されている。
【００２７】
国設定部１１１は、抽出部１０９が抽出した国、又は、表示部１０７で選択された国を使用国としてＨＤＤに設定する。ここで設定とは、使用している電子機器の記憶部や電子機器に接続された別の機器の記憶部に記憶させることをいう。
【００２８】
言語設定部１１２は、使用国に対応する言語を使用言語としてＨＤＤに設定する。また、言語設定部１１２は、国設定部１１１により使用国が設定されれば使用言語を設定可能である。
【００２９】
国規格設定部１１３は、使用国に対応する規格をＨＤＤに設定する。各国の規格は、印刷機に限らず他の電子機器の規格であってもよい。印刷機であれば、長さ単位の変換や行間、フォントの設定などあり、テレビ受像機であれば、通信方式や扱う周波数等がある。
【００３０】
図２に示すように、まず、電子機器１０１の電源部１０２が投入されると（ステップＳ２０１）、制御部１０５は、電子機器１０１に国の規格が設定されているか判定する（ステップＳ２０２）。具体的には、制御部１０５は、電源検知部１０３から検知情報をうけると、電子機器１０１のＨＤＤに国の規格が既に設定されているか否かを判定する。
【００３１】
ステップＳ２０２において、ＨＤＤに国の規格が設定されていると判定された場合（NOの場合）、設定動作を完了とする（ステップＳ２１５）。
【００３２】
ステップＳ２０２において、ＨＤＤに国の規格が設定されていないと判定された場合（YESの場合）、時間取得部１０８は、電子機器１０１の電源部１０２が投入されたときの世界標準時間を時間計時部１０４から取得する（ステップＳ２０３）。
【００３３】
抽出部１０９は、時間取得部１０８が取得した時間と各国の時差情報に基づいて算出された時間を算出する（ステップＳ２０４）。
【００３４】
また、抽出部１０９は、算出された時間が営業時間内である国を候補国として抽出する（ステップＳ２０５）。なお、国抽出部１０９により抽出される国はＲＯＭに記憶された国である。
【００３５】
抽出部１０９は、候補国が単数であるか否か判定する（ステップＳ２０６）。
【００３６】
抽出部１０９は、候補国が単数でない場合、候補国に対応する言語を抽出する。候補国に対応する言語は、候補国の公用語である。公用語が複数ある国の場合、抽出部１０９は候補国の公用語の一つを抽出する。
【００３７】
表示部１０７は、候補国の国名及び入力指示を抽出部１０９に抽出された各々の言語で表示する（ステップＳ２０７）。
【００３８】
制御部１０５は、表示部１０７に表示された候補国のうちの一つがユーザに選択されたか否か判定する（ステップＳ２０８）。
【００３９】
ステップＳ２０８において、表示部１０７に表示された候補国が選択されなかった場合（NOの場合）、候補国が選択されるまで表示を繰り返す。また、表示部１０７に表示された候補国が選択された場合（YESの場合）、国設定部１１１は、選択された候補国を使用国としてＨＤＤに設定する（ステップＳ２０９）。
【００４０】
ステップＳ２０６において、候補国が単数であると判定した場合（YESの場合）、国設定部１１１は、候補国を使用国としてＨＤＤに設定する（ステップＳ２０９）。
【００４１】
制御部１０５は、使用国の公用語が単数であるか否か判定する（ステップＳ２１０）。具体的には、ＲＯＭに記憶された使用国の公用語が単数であるか判定する。
【００４２】
ステップＳ２１０において、使用国の公用語が単数でない場合（NOの場合）、制御部１０５は、ＲＯＭに記憶された使用国の複数の公用語を表示部１０７に表示させる（ステップＳ２１１）。
【００４３】
制御部１０５は、表示部１０７に表示された言語が選択されたか否か判定する（ステップＳ２１２）。
【００４４】
ステップＳ２１２において、表示部１０７に表示された使用国の言語が選択されない場合（NOの場合）、言語が選択されるまで表示を繰り返す。また、表示部１０７に表示された言語が選択された場合（YESの場合）、言語設定部１１２は、選択された言語を使用言語としてＨＤＤに設定する（ステップＳ２１３）。
【００４５】
ステップＳ２１０において、使用国の公用語が単数である場合（YESの場合）、言語設定部１１２は、使用国の言語を使用言語としてＨＤＤに設定する（ステップＳ２１３）。
【００４６】
国規格設定部１１３は、言語設定部１１２によりＨＤＤに使用言語が設定されると、使用国の規格をＨＤＤに設定する（ステップＳ２１４）。なお、使用国の言語と使用国の規格はどちらから設定してもよく、いずれも設定されるまで、設定作業を繰り返すようにしてもよい。
【００４７】
使用国の規格がＨＤＤに設定されると、制御部１０５は、ＨＤＤに使用国の規格が設定されたと判定して、電子機器１０１の初期設定動作を完了する（ステップＳ２１５）。
【００４８】
（具体例１）
候補国が複数であり、かつ、使用国の公用語も複数である場合を具体的に説明する。予めシンガポール、韓国、日本の国名及び公用語での入力指示及び各国の時差情報がＲＯＭやＨＤＤに記憶されており、電源部１０２が投入された世界標準時間が３：００であった場合を例示する。（ステップＳ２０３）
【００４９】
図４（a）に示すように、時差情報に関してシンガポールはGMT＋８、韓国はGMT＋９、日本はGMT＋９で記憶されている。また、所定時間を営業時間として、１０：００から１７：００で記憶されている。
【００５０】
これら前提条件の場合について、以下のフローに沿って説明する。
【００５１】
時間取得部１０８は、世界標準時間３：００を取得して抽出部１０９に出力する（ステップ２０３）。
【００５２】
抽出部１０９は、時間取得部１０８により出力された時間と各国の時差情報からシンガポールは１１：００、韓国は１２：００、日本は１２：００と算出する（ステップＳ２０４）。
【００５３】
抽出部１０９は、算出された時間が設定された営業時間である１０：００から１７：００内であるシンガポール、韓国、日本の3カ国を候補国として抽出する（ステップＳ２０５）。このようにすることで、電子機器１０１を起動しただけで、候補国を抽出するので、設定者にとって初期設定が容易になる。
【００５４】
抽出部１０９は、候補国が単数でないと判定し、シンガポール、韓国、日本に関する各国の公用語の一つを抽出する（ステップＳ２０６）。具体的には、シンガポールの公用語であるマレー語、英語、中国語のうちマレー語を抽出し、韓国語の公用語であるハングル語、日本の公用語である日本語を抽出する。
【００５５】
表示部１０７は、抽出部１０９により抽出された各国の公用語でシンガポール、韓国、日本の3カ国の国名と入力指示を表示する（ステップＳ２０７）。図３（a）に示すように、表示部１０７は、抽出部１０９に抽出された各々の言語で候補国の国名及び入力指示を表示する。このようにすることで、候補国が複数ある場合、候補国に対応した言語で国名等を表示機器等に表示させるので、初期設定時に設定者にとって国の選択が容易になる。
【００５６】
ステップＳ２０８において、表示部１０７に表示された候補国のうちシンガポールが選択された場合（YESの場合）、国設定部１１１は、シンガポールを使用国としてＨＤＤに設定する（ステップＳ２０９）。
【００５７】
ステップＳ２１０において、シンガポールの公用語が単数でないので（NOの場合）、図３（b）に示すように、表示部１０７は、マレー語で「言語を選択してください」と入力指示を表示する。また、表示部１０７は、シンガポールの公用語であるマレー語、英語、中国語で「シンガポール語」と表示する（ステップＳ２１１）。
【００５８】
ステップＳ２１２において、表示部１０７に表示された言語のうち、マレー語が選択された場合、言語設定部１１２は、マレー語を使用言語としてＨＤＤに設定する（ステップＳ２１３）。図３（c）に示すように、マレー語が電子機器１０１に設定された旨の画像として、マレー語で「マレー語が設定されました」と表示部１０７に表示される。このようにすることで、言語の設定操作することなく使用言語を設定できる。
【００５９】
国規格設定部１１３は、言語設定部１１２によりマレー語が設定されると、シンガポールの規格をＨＤＤに設定する（ステップＳ２１４）。すると、図３（d）に示すように、シンガポールの規格が電子機器１０１に設定された旨の画像として、マレー語で「シンガポールの規格が設定されました」と表示部１０７に表示される。
【００６０】
シンガポールの規格がＨＤＤに設定されると、制御部１０５は、ＨＤＤに使用国の規格が設定されたと判定して、電子機器１０１の初期設定動作を完了する（ステップＳ２１５）。
【００６１】
（具体例２）
候補国が単数であり、かつ、使用国の公用語が単数である場合を具体的に説明する。予めアメリカ合衆国、ベルギー、日本の国名及び公用語での入力指示及び各国の時差情報がＲＯＭやＨＤＤに記憶されており、電源部１０２が投入された世界標準時間が６：００であった場合を例示する。（ステップＳ２０３）。
【００６２】
図４（b）に示すように、時差情報に関してベルギーはＧＭＴ＋１、アメリカ合衆国はGMT−５から−９の間、日本の時差はGMT＋９でＲＯＭに記憶されている。営業時間は、１０：００から１７：００で記憶されている。
【００６３】
これら前提条件の場合について、以下のフローに沿って説明する。
【００６４】
時間取得部１０８は、世界標準時間６：００を取得して抽出部１０９に出力する（ステップ２０３）。
【００６５】
抽出部１０９は、取得した時間６：００と候補国の時差情報とからアメリカ合衆国は２１：００から１：００、ベルギーは７：００、日本は１５：００と算出する（ステップＳ２０４）。
【００６６】
抽出部１０９は、算出された時間が営業時間である１０：００から１７：００内に含まれる日本を候補国として抽出する（ステップＳ２０５）。このようにすることで、電子機器１０１を起動しただけで、候補国を抽出するので、設定者にとって初期設定が容易になる。
【００６７】
国抽出１０９は、候補国が単数であると判定する（ステップＳ２０６）。
【００６８】
国設定部１１１は、候補国である日本を使用国としてＨＤＤに設定する（ステップＳ２０９）。このようにすることで、抽出された国が電子機器１０１を使用する国として設定されるので、初期設定時に設定者が操作することなく国を設定できる。
【００６９】
ステップＳ２１０において、日本のように公用語が日本語のみしかない場合（YESの場合）、言語設定部１１２は、日本語を使用言語としてＨＤＤに設定する。すると、日本語に設定された旨の画像が表示部１０７に表示される（ステップＳ２１３）。このようにすることで、電子機器１０１を起動しただけで、使用する国と使用する言語を設定するので、初期設定時に設定者が操作することなく国と言語を設定できる。
【００７０】
国規格設定部１１３は、言語設定部１１２により日本語が設定されると、日本の規格をＨＤＤに設定する。すると、日本語の規格に設定された旨の画像が表示部１０７に表示される。（ステップＳ２１４）。
【００７１】
日本の規格がＨＤＤに設定されると、制御部１０５は、ＨＤＤに使用国の規格が設定されたと判定して、電子機器１０１の初期設定動作を完了する（ステップＳ２１５）。
【００７２】
以上、実施形態を用いて本発明を詳細に説明したが、本発明は本明細書中に説明した実施形態に限定されるものではない。本発明の範囲は、特許請求の範囲の記載及び特許請求の範囲の記載と均等の範囲により決定されるものである。
【００７３】
上述した実施形態の表示の順序は適宜変更可能である。たとえば、候補国をアルファベット順に並べることや営業時間に基づいて順序を決定する構成にしてもよい。
【符号の説明】
【００７４】
１０１  電子機器
１０２  電源部
１０３  電源検知部
１０４  時間計時部
１０５  制御部
１０６  記憶部
１０７  表示部
１０８  時間取得部  
１０９  抽出部
１１０  設定部
１１１  国設定部
１１２  言語設定部
１１３  国規格設定部
【図１】
0005762911.tif 000002
【図２】
0005762911.tif 000003
【図３】
0005762911.tif 000004
【図４】
0005762911.tif 000005